(57)【特許請求の範囲】
【請求項１】
表面に絶縁処理を施した線状の導体を巻回し、前記導体を更に同じ巻数だけ逆転させて、８の字状に巻回し、前記導体の両端を引き出し線に形成し、大きいコイルと小さいコイルとを作り、大きいコイルの内側に小さいコイルを挿入設置し、複数の磁芯を突き合わせてなるトランス・コイルにおいて、前記二つのコイルの長さとほぼ同じ幅の薄く平らな２枚の板状の導体を用いて、前記板状の導体を巻回し、更に、同じ巻数だけ逆転させて、略８の字状に巻回し、第１のコイルを形成し、端部に引き出し線を設け、巻数が同じで、前記板状の導体の中心部に、前記第１のコイルと係合するための切り込みを設け、第１のコイルより内径の小さな第２のコイルを第１のコイルの内側に一体となるように挿入配置したことを特徴とするコモンモードチョークコイル。
【発明の詳細な説明】
【０００１】
【発明の属する技術分野】
本発明は、民生用や産業用電子機器の電源ラインに挿入され、電磁ノイズを抑制する電子部品として使用されるコモンモードチョークコイルに関するものである。
【０００２】
【従来の技術】
従来、コモンモードチョークコイルは、図４に示すように、導体として銅線を用い、これを８の字状に巻線したコイルを２個用意し、第１のコイル９の内側に、形状と巻数が同じで、内径の小さな第２のコイル１０を一体となるように挿入配置し、その後、図３に示すように、軟磁性材からなる分割型閉磁路磁芯７の磁脚８を前記第１のコイル９と前記第２のコイル１０に挿入させた構造のものが提案されている。
【０００３】
このコモンモードチョークコイルは、銅線で８の字状のコイルを形成した、第１のコイル９および第２のコイル１０が、それぞれの磁路に対して同じ方向となるように巻線され、また、２個のコイルは向かい合わせて磁路内に配置されているので、それぞれのコイルを流れる電流による磁界の方向は、打ち消し合うように構成されたコモンモードチョークコイルである。
【０００４】
前述のコモンモードチョークコイルは、第１のコイル９の内側に第２のコイル１０を一体となるように挿入配置した構造のため、容易に組み立てることができる。又、分割型閉磁路磁芯の磁脚の長さが、コイル１個分の長さでよくなるため、磁路が短くなり、従来と同じ巻数でも、インダクタンスが大きくなるので、巻数を増やす必要がなく、従来と同じインダクタンスを必要とする場合、巻数が少なくて済み、従って、小型軽量化が可能となるものである。
【０００５】
【発明が解決しようとする課題】
しかし、大きい入力容量の電子機器に搭載しようとした時、大電流用に対応させるために、巻線の線径を太くする必要があり、そのため、巻数が限られてしまい、大電流用には適さないという問題があった。
【０００６】
本発明の課題は、大電流用にも適し、高周波特性が向上した小型のコモンモードチョークコイルを提供することである。
【０００７】
【課題を解決するための手段】
本発明によれば、導体線の形状を板状としたことにより、断面積が大きくなり、直流抵抗を低減することができ、かつ、大電流にも対応することが可能となり、導体相互間の密着性もよく、コモンモードチョークコイルとしての周波数特性が向上し、個々のコイルの共振点のばらつきの少ないコモンモードチョークコイルが得られる。
【０００８】
又、コイル内径の異なる二つの８の字状の板状の導体を用い、第１のコイルの内側に板状の導体の中心部に切り込みを有した内径の小さな第２のコイルを一体になるように挿入配置し、その後、分割型閉磁路磁芯をコイルに挿入させた構造とすることにより、容易に組み立てることができる。分割型閉磁路磁芯の磁脚の長さは、コイルの１個分よりわずかに長くなるので、インダクタンスはわずかに小さくなるが、巻数を増やすことが容易にできるコモンモードチョークコイルが得られる。
【０００９】
即ち、本発明は、表面に絶縁処理を施した線状の導体を巻回し、前記導体を更に同じ巻数だけ逆転させて、８の字状に巻回し、前記導体の両端を引き出し線に形成し、大きいコイルと小さいコイルとを作り、大きいコイルの内側に小さいコイルを挿入設置し、複数の磁芯を突き合わせてなるトランス・コイルにおいて、前記二つのコイルの長さとほぼ同じ幅の薄く平らな２枚の板状の導体を用いて、前記板状の導体を巻回し、更に、同じ巻数だけ逆転させて、略８の字状に巻回し、第１のコイルを形成し、端部に引き出し線を設け、巻数が同じで、前記板状の導体の中心部に、前記第１のコイルと係合するための切り込みを設け、第１のコイルより内径の小さな第２のコイルを第１のコイルの内側に一体となるように挿入配置したことを特徴とするコモンモードチョークコイルである。
【００１０】
【発明の実施の形態】
導体の形状を板状としたことにより、断面積が大きくなるので、大電流にも対応することができ、かつ、直流抵抗を低減することができるコモンモードチョークコイルとなる。又、導体相互間の密着性も良くなるので、コイルの作る浮遊容量が小さくなるので、コイルの共振周波数が高くなり、周波数特性が向上したコモンモードチョークコイルが可能となる。
【００１１】
第２のコイルの板状の導体の中心部に、切り込みを有したことにより、第１のコイルの内側に前記第２のコイルを一体となるように挿入配置することができ、磁路方向に対して、コイルの占める長さは、コイル１個分より僅かに長いものとなる。これによって、インダクタンスは僅かに小さくなるが、巻数を増やすことが容易にでき、大電流に対応した小型のコモンモードチョークコイルが可能となる。
【００１２】
（実施例）
以下、本発明の実施例について、図面を用いて説明する。
【００１３】
図１は、本発明によるコモンモードチョークコイルを示す斜視図である。図２は、本発明のコモンモードチョークコイルを形成するコイルを示す斜視図である。
【００１４】
図２に示すように、本発明のコモンモードチョークコイルのコイルは、断面積の大きな板状の導体を巻回し、該導体を略８の字状にして同じ巻数だけ逆転させて巻回し、前記板状の導体の両端に引き出し線６を設け、略８の字状の前記板状の導体を第１のコイル３とし、該第１のコイル３の内側に形状と巻数が同じで、前記板状の導体の中心部に、前記第１のコイル３と係合するための切り込み５を有した内径の小さな第２のコイル４を挿入して一体となるようにした構造のコイルである。
【００１５】
本実施例では、板状の導体寸法は、幅３０ｍｍ、板厚３ｍｍを使用した。
【００１６】
図１に示すように、本発明のコモンモードチョークコイルは、図２に示す第１のコイル３に分割型閉磁路磁芯１の磁脚２を挿入し、該分割型閉磁路磁芯１を向かい合わせて、該磁脚２の接合面を接合させて閉磁路を形成した構造のものである。
【００１７】
前記第１のコイル３の内側に前記第２のコイル４が装着され、一体となるように配置された構造のため、磁路方向に対してコイルの占める長さは、１個のコイルの長さの１.３倍あれば良い。磁路長が長くなり、従来のコモンモードチョークコイルに比べ、インダクタンスが小さくなるが、巻数を増やしたものを使用できるため、同じインダクタンスを容易に得ることができる。
【００１８】
又、大きさについても、本発明のコモンモードチョークコイルでは、僅かに大きくなるが、１５Ａ以上の電流に対して使用すると、従来品では、そのまま使用できず、一回り大きいサイズのものを使用しなければならないのに対し、本発明のコモンモードチョークコイルは、そのまま使用でき、その際の大きさは、本発明のコモンモードチョークコイルの方が、体積比で約３０％程小さくなる。
【００１９】
本発明の板状の導体を使用したことにより、導体の断面積が大きくなり、直流抵抗を低減することができ、大きな電流にも対応することができた。又、導体相互間の密着性が良くなり、コイルの作る浮遊容量が小さくなり、コイルの共振周波数が高くなるので、周波数特性が向上したコモンモードチョークコイルが得られた。
【００２０】
【発明の効果】
本発明によれば、導体線の形状を板状とすることにより、導体の断面積が大きくなり、直流抵抗を低減することができ、大きな電流にも対応することができ、又、周波数特性が向上した小型のコモンモードチョークコイルが得られる。
【図面の簡単な説明】
【図１】本発明によるコモンモードチョークコイルを示す斜視図。
【図２】本発明によるコモンモードチョークコイルのコイルを示す斜視図。
【図３】従来のコモンモードチョークコイルを示す斜視図。
【図４】従来のコモンモードチョークコイルのコイルを示す斜視図。
【符号の説明】
１，７    分割型閉磁路磁芯
２，８    磁脚
３，９    第１のコイル
４，１０    第２のコイル
５    切り込み
６    引き出し線
【図１】
0003649483.tif 000002
【図２】
0003649483.tif 000003
【図３】
0003649483.tif 000004
【図４】
0003649483.tif 000005